【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分と接触するように延びる内壁を含み、
前記下側部分が、前記ソールを通って延びる開口部を画定し、
前記内壁および前記クラウンが、前記開口部と連通する空洞部を少なくとも部分的に画定する、ゴルフクラブヘッド。
【請求項２】
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、請求項１に記載のゴルフクラブヘッド。
【請求項３】
前記空洞部は、２つ以上の空洞部である、請求項２に記載のゴルフクラブヘッド。
【請求項４】
空洞部の数は、開口部の数よりも多い、請求項３に記載のゴルフクラブヘッド。
【請求項５】
前記内壁は、前記下側部分に接着される、請求項１〜４のいずれか一項に記載のゴルフクラブヘッド。
【請求項６】
前記内壁は、受入れ部分を画定し、
前記下側部分は、前記ソールから延びるフランジを含み、
前記フランジは、前記内壁の前記受入れ部分内で接着される、請求項５に記載のゴルフクラブヘッド。
【請求項７】
前記下側部分は、金属材料から形成される、請求項１〜６のいずれか一項に記載のゴルフクラブヘッド。
【請求項８】
前記前方セクションは、金属材料から形成され、
前記下側部分は、前記前方セクションと一体に形成される、請求項７に記載のゴルフクラブヘッド。
【請求項９】
前記下側部分は、前記ポリマー材料から形成される、請求項１〜６のいずれか一項に記載のゴルフクラブヘッド。
【請求項１０】
前記内壁は、前記内壁と前記前方セクションの間で閉じた空洞部を少なくとも部分的に画定する、請求項１〜９のいずれか一項に記載のゴルフクラブヘッド。
【請求項１１】
前記成形されるポリマー材は、複数の不連続な埋め込まれた繊維を有する充填された熱可塑性材料である、請求項１〜１０のいずれか一項に記載のゴルフクラブヘッド。
【請求項１２】
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分に向けて延びる複数の内壁を含み、
前記下側部分が、前記ソールを通って延びる複数の開口部を画定し、
複数の前記内壁および前記クラウンが、３つ以上の空洞部を少なくとも部分的に画定しており、３つ以上の空洞部のそれぞれは、複数の開口部の対応する１つと連通しており、
空洞部の数は、開口部の数以上である、ゴルフクラブヘッド。
【請求項１３】
前記開口部よりも少なくとも２つ多い空洞部が存在する、請求項１２に記載のゴルフクラブヘッド。
【請求項１４】
複数の前記内壁の少なくとも１つは、前記下側部分に接着される、請求項１２又は１３に記載のゴルフクラブヘッド。
【請求項１５】
複数の前記内壁の少なくとも１つは、受入れ部分を画定し、
前記下側部分は、前記ソールから延びるフランジを含み、
前記フランジは、前記内壁の前記受入れ部分内で接着される、請求項１４に記載のゴルフクラブヘッド。
【請求項１６】
前記下側部分は、金属材料から形成される、請求項１２〜１５のいずれか一項に記載のゴルフクラブヘッド。
【請求項１７】
前記前方セクションは、金属材料から形成され、
前記下側部分は、前記前方セクションと一体に形成される、請求項１６に記載のゴルフクラブヘッド。
【請求項１８】
複数の前記内壁の少なくとも１つは、少なくとも１つの前記内壁と前記前方セクションの間に閉じた空洞部を画定する、請求項１２〜１７のいずれか一項に記載のゴルフクラブヘッド。
【請求項１９】
前記成形されるポリマー材料は、熱可塑性材料である、請求項１２〜１８のいずれか一項に記載のゴルフクラブヘッド。
【請求項２０】
前記熱可塑性材料は、複数の埋め込まれた繊維を有する充填された熱可塑性材料である、請求項１９に記載のゴルフクラブヘッド。
【手続補正２】
【補正対象書類名】明細書
【補正対象項目名】００４７
【補正方法】変更
【補正の内容】
【００４７】
「１つの（ａ）」、「１つの（ａｎ）」、「その（ｔｈｅ）」、「少なくとも１つの」、および「１つまたは複数の」は、相互に交換可能に使用されて、事項の少なくとも１つが存在するが、文脈が明確にその他の形を示さない限り、複数のこのような事項が存在する可能性のあることを示している。添付の特許請求の範囲を含む本明細書における（例えば、量または条件の）パラメータのすべての数値的な値は、数値的な値の前に「約」が実際にあるかどうかにかかわらず、すべての例において「約」という用語によって修飾されるものと理解されたい。「約」は、示された数値的な値が、何らかのわずかな不正確さを許容することを示している（値の正確さへの何らかの近接、その値の前後もしくはかなり近い、おおよそ）。あるいは、「約」により提供される不正確さが、他に当技術分野のこの普通の意味で理解されない場合、本明細書で使用される「約」は、このようなパラメータを測定および用いる通常の方法から生ずる可能性のある少なくとも変動を示す。加えて、範囲の開示は、すべての値、および範囲全体に含まれるさらに分割された範囲の開示を含む。範囲内の各値、および範囲の端点は、本明細書によりすべて別個の実施形態として開示される。「備える／含む（ｃｏｍｐｒｉｓｅｓ）」、「備える／含む（ｃｏｍｐｒｉｓｉｎｇ）」、「含む」、および「有する」という用語は、包含的なものであり、したがって、述べられた事項の存在を指定するが、他の事項の存在を排除するものではない。本明細書で使用される場合、「または」という用語は、列挙された事項のうちの１つまたは複数のものの任意の、かつすべての組合せを含む。様々な事項を互いに区別するために、第１、第２、第３などの用語が使用される場合、これらの指定は、単に便宜上のものに過ぎず、事項を限定するものではない。
以下の項目は、国際出願時の特許請求の範囲に記載の要素である。
（項目１）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側外殻、前記ソールの一部を画定する下側外殻、および前記上側外殻と前記下側外殻の間で延びる内壁、を含む、ボディセクションと、を備え、
前記内壁が、ポリマー材料から成形され、
前記上側外殻および前記下側外殻の少なくとも一方が、前記上側外殻と前記下側外殻の間で延びる空洞部と連通している開口部を画定し、
前記空洞部が、前記内壁により少なくとも部分的に画定される、ゴルフクラブヘッド。
（項目２）
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、項目１に記載のゴルフクラブヘッド。
（項目３）
前記空洞部は、２つ以上の空洞部である、項目２に記載のゴルフクラブヘッド。
（項目４）
空洞部の数は、開口部の数よりも多い、項目３に記載のゴルフクラブヘッド。
（項目５）
前記内壁は、前記下側外殻に接着される、項目１に記載のゴルフクラブヘッド。
（項目６）
前記内壁は、受入れ部分を画定し、
前記下側外殻は、前記ソールから延びるフランジを含み、
前記フランジは、前記内壁の前記受入れ部分内で接着される、項目５に記載のゴルフクラブヘッド。
（項目７）
前記下側外殻は、金属材料から形成される、項目１に記載のゴルフクラブヘッド。
（項目８）
前記前方セクションは、金属材料から形成され、
前記下側外殻は、前記前方セクションと一体に形成される、項目７に記載のゴルフクラブヘッド。
（項目９）
前記下側外殻は、前記ポリマー材料から形成される、項目１に記載のゴルフクラブヘッド。
（項目１０）
前記内壁は、前記内壁と前記前方セクションの間で閉じた空洞部を少なくとも部分的に画定する、項目１に記載のゴルフクラブヘッド。
（項目１１）
前記成形されるポリマー材は、複数の不連続な埋め込まれた繊維を有する充填された熱可塑性材料である、項目１に記載のゴルフクラブヘッド。
（項目１２）
前記内壁は、前記上側外殻および前記下側外殻の一方と一体に成形される、項目１に記載のゴルフクラブヘッド。
（項目１３）
前記開口部は、第１の開口部であり、前記上側外殻により画定され、
前記下側外殻は、前記上側外殻と前記下側外殻の間で延びる第２の空洞部と連通する第２の開口部を画定し、
前記第２の空洞部は、前記内壁により部分的に画定される、項目１に記載のゴルフクラブヘッド。
（項目１４）
ストライクフェース、クラウン、およびソールを有するゴルフクラブヘッドであって、
前記ストライクフェースを含む前方セクションと、
前記前方セクションと結合されるボディセクションであって、下側外殻に接着された上側外殻、およびそれらの間で延びる内壁、を含む、ボディセクションと、を備え、
前記上側外殻が、前記クラウンの一部を画定し、前記下側外殻が前記ソールの一部を画定し、
前記内壁が、ポリマー材料から形成され、前記上側外殻および前記下側外殻の一方と一体に成形され、前記上側外殻および前記下側外殻の一方に接着され、
前記上側外殻および前記下側外殻の少なくとも一方が、前記内壁により少なくとも部分的に画定される空洞部と連通する開口部を画定する、ゴルフクラブヘッド。
（項目１５）
前記開口部は複数の開口部であり、前記空洞部は複数の空洞部であり、前記複数の空洞部のそれぞれが、前記複数の開口部のそれぞれ１つと連通している、項目１４に記載のゴルフクラブヘッド。
（項目１６）
前記開口部とは反対の前記ボディセクションの一部から前記空洞部の中へと延びる二次的な壁をさらに備える、項目１４に記載のゴルフクラブヘッド。
（項目１７）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分と接触するように延びる内壁を含み、
前記下側部分が、前記ソールを通って延びる開口部を画定し、
前記内壁および前記クラウンが、前記開口部と連通する空洞部を少なくとも部分的に画定する、ゴルフクラブヘッド。
（項目１８）
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、項目１７に記載のゴルフクラブヘッド。
（項目１９）
前記空洞部は、２つ以上の空洞部である、項目１８に記載のゴルフクラブヘッド。
（項目２０）
空洞部の数は、開口部の数よりも多い、項目１９に記載のゴルフクラブヘッド。
（項目２１）
前記内壁は、前記下側部分に接着される、項目１７に記載のゴルフクラブヘッド。
（項目２２）
前記内壁は、受入れ部分を画定し、
前記下側部分は、前記ソールから延びるフランジを含み、
前記フランジは、前記内壁の前記受入れ部分内で接着される、項目２１に記載のゴルフクラブヘッド。
（項目２３）
前記下側部分は、金属材料から形成される、項目１７に記載のゴルフクラブヘッド。
（項目２４）
前記前方セクションは、金属材料から形成され、
前記下側部分は、前記前方セクションと一体に形成される、項目２３に記載のゴルフクラブヘッド。
（項目２５）
前記下側部分は、前記ポリマー材料から形成される、項目１７に記載のゴルフクラブヘッド。
（項目２６）
前記内壁は、前記内壁と前記前方セクションの間に閉じた空洞部を少なくとも部分的に画定する、項目１７に記載のゴルフクラブヘッド。
（項目２７）
前記成形されるポリマー材料は、複数の埋め込まれた繊維を有する充填された熱可塑性材料である、項目１７に記載のゴルフクラブヘッド。
（項目２８）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分の方向に延びる複数の内壁を含み、
前記下側部分が、前記ソールを通って延びる複数の開口部を画定し、
前記複数の内壁および前記クラウンが、３つ以上の空洞部を少なくとも部分的に画定し、前記３つ以上の空洞部のそれぞれが、前記複数の開口部のそれぞれ１つと連通しており、
空洞部の数は、開口部の数以上である、ゴルフクラブヘッド。
（項目２９）
前記開口部よりも少なくとも２つ多い空洞部が存在する、項目２８に記載のゴルフクラブヘッド。
（項目３０）
前記複数の内壁の少なくとも１つは、前記下側部分に接着される、項目２８に記載のゴルフクラブヘッド。
（項目３１）
前記複数の内壁の前記少なくとも１つは、受入れ部分を画定し、
前記下側部分は、前記ソールから延びるフランジを含み、
前記フランジは、前記受入れ部分内で接着される、項目３０に記載のゴルフクラブヘッド。
（項目３２）
前記下側部分は、金属材料から形成される、項目２８に記載のゴルフクラブヘッド。
（項目３３）
前記前方セクションは、金属材料から形成され、
前記下側部分は、前記前方セクションと一体に形成される、項目３２に記載のゴルフクラブヘッド。
（項目３４）
前記複数の内壁の少なくとも１つが、前記少なくとも１つの内壁と前記前方セクションの間で閉じた空洞部を画定する、項目２８に記載のゴルフクラブヘッド。
（項目３５）
前記成形されるポリマー材料は、熱可塑性材料である、項目２８に記載のゴルフクラブヘッド。
（項目３６）
前記熱可塑性材料は、複数の埋め込まれた繊維を有する充填された熱可塑性材料である、項目３５に記載のゴルフクラブヘッド。